(57)【要約】【課題】病室に入ってきた医療従事者が自分の担当か否かを患者が容易に把握できるようにする。【解決手段】患者のいる部屋に設置されたタグリーダにおいて、医療従事者が携行するタグ装置が読み取られた場合、読み取られた従事者ＩＤおよび読み取りが行われたタグリーダに付されている部屋ＩＤをもとに、患者情報記憶部１０１および関連付け情報記憶部１０３を参照し、その医療従事者を担当とする患者が、読み取りが行われた部屋の中にいるか否かを判定する患者所在判定部１２と、いると判定された場合、その患者が使用する表示装置に対し、担当の医療従事者であることを報知するための表示を行うように指示する表示指示部１３とを備え、部屋に入ってきた医療従事者が担当となっている患者の表示装置に所定の表示を行うことにより、医療従事者が自分の担当であることを患者が容易に把握できるようにする。【選択図】図２
2018196627.tif 000002
【特許請求の範囲】
【請求項１】
患者を特定可能な患者識別情報、上記患者のいる部屋を特定可能な部屋識別情報および上記患者が使用する機器を特定可能な機器識別情報を記憶する患者情報記憶部と、
上記患者の上記患者識別情報と上記患者の担当または受け持ちの医療従事者を特定可能な従事者識別情報とを関連付けて記憶する関連付け情報記憶部と、
上記患者のいる部屋に設置された読取装置において、上記医療従事者が携行する被読取装置に記憶されている従事者識別情報が読み取られた場合、当該読み取られた従事者識別情報および当該読み取りが行われた上記読取装置に付されている部屋識別情報をもとに、上記患者情報記憶部および上記関連付け情報記憶部を参照し、上記読取装置により読み取られた従事者識別情報で示される医療従事者を担当または受け持ちとする患者が、上記読取装置により読み取りが行われた部屋の中にいるか否かを判定する患者所在判定部と、
上記患者所在判定部により、上記医療従事者を担当または受け持ちとする患者が部屋の中にいると判定された場合、当該判定された患者が使用する上記機器に対し、担当または受け持ちとして関連付けられた医療従事者であることを報知するための所定の表示を行うように指示する表示指示部とを備えたことを特徴とする関連医療従事者報知システム。
【請求項２】
上記読取装置において上記従事者識別情報が読み取られた場合、当該読み取られた上記従事者識別情報をもとに上記関連付け情報記憶部を参照し、上記従事者識別情報で示される医療従事者が、当該従事者識別情報に関連付けられた患者識別情報で示される患者の担当または受け持ちの何れの役割であるかを判定する役割判定部を更に備え、
上記表示指示部は、上記役割判定部により判定された役割に応じて異なる表示を行うように指示することを特徴とする請求項１に記載の関連医療従事者報知システム。
【発明の詳細な説明】
【技術分野】
【０００１】
本発明は、関連医療従事者報知システムに関し、特に、患者の担当または受け持ちとして関連付けられている医療従事者を患者に報知するためのシステムに関するものである。
【背景技術】
【０００２】
従来、医療従事者が病室に入ってきたときに、病室内にいる患者が、その医療従事者が自分の担当であることを判別することができるようにするために、患者のベッド近傍に配置されたナースコール子機の表示部に対し、医療従事者の名前と共に顔画像を表示するようにした技術が知られている（例えば、特許文献１参照）。
【０００３】
しかしながら、この特許文献１に記載の技術では、患者は、病室に入ってきた医療従事者が自分の担当か否かを確認するために、病室に入ってきた医療従事者の顔と、ナースコール子機の表示部に表示された担当の医療従事者の顔画像とを比較しなければならず、患者に負担をかけてしまうという問題があった。
【先行技術文献】
【特許文献】
【０００４】
【特許文献１】特開２００７−１４３８４３号公報
【発明の概要】
【発明が解決しようとする課題】
【０００５】
本発明は、このような問題を解決するために成されたものであり、病室に入ってきた医療従事者が自分の担当または受け持ちか否かを患者が容易に把握できるようにすることを目的とする。
【課題を解決するための手段】
【０００６】
上記した課題を解決するために、本発明では、患者を特定可能な患者識別情報、患者のいる部屋を特定可能な部屋識別情報および患者が使用する機器を特定可能な機器識別情報を患者情報記憶部に記憶するとともに、患者の患者識別情報と患者の担当または受け持ちの医療従事者を特定可能な従事者識別情報とを関連付けて関連付け情報記憶部に記憶しておく。この状態で、患者のいる部屋に設置された読取装置において、医療従事者が携行する被読取装置に記憶されている従事者識別情報が読み取られた場合、当該読み取られた従事者識別情報および当該読み取りが行われた読取装置に付されている部屋識別情報をもとに、患者情報記憶部および関連付け情報記憶部を参照し、読取装置により読み取られた従事者識別情報で示される医療従事者を担当または受け持ちとする患者が、読取装置により読み取りが行われた部屋の中にいるか否かを判定し、いると判定された場合、当該判定された患者が使用する機器に対し、担当または受け持ちとして関連付けられた医療従事者であることを報知するための所定の表示を行うようにしている。
【発明の効果】
【０００７】
上記のように構成した本発明によれば、患者のいる部屋に医療従事者が入ってきたときに、医療従事者が携行する被読取装置に記憶されている従事者識別情報の読み取りが行われると、その医療従事者が担当または受け持ちとなっている患者が使用する機器に所定の表示が行われる。これにより、その表示が行われた機器を使用している患者は、部屋に入ってきた医療従事者が自分の担当または受け持ちであることを把握することができる。このように、本発明によれば、患者は、自分が使用する機器に所定の表示が行われるか否かを確認するだけで、部屋に入っていた医療従事者が自分の担当または受け持ちか否かを容易に把握することができる。
【図面の簡単な説明】
【０００８】
【図１】第１の実施形態による関連医療従事者報知システムの全体構成例を示す図である。
【図２】第１の実施形態によるナースコール親機の機能構成例を示すブロック図である。
【図３】第１の実施形態による関連付け情報記憶部に記憶される関連付け情報の一例を示す図である。
【図４】第２の実施形態によるナースコール親機の機能構成例を示すブロック図である。
【図５】第２の実施形態による関連付け情報記憶部に記憶される関連付け情報の一例を示す図である。
【発明を実施するための形態】
【０００９】
（第１の実施形態）
以下、本発明の第１の実施形態を図面に基づいて説明する。図１は、第１の実施形態による関連医療従事者報知システムの全体構成例を示す図である。第１の実施形態による関連医療従事者報知システムは、病院内で一般的に使用されているナースコールシステムを利用して構成したものである。なお、ここでは関連医療従事者報知システムを病院に設置する例について説明するが、介護施設等に設置することも可能である。
【００１０】
図１に示すように、第１の実施形態による関連医療従事者報知システムを含むナースコールシステムは、ナースコール親機１、制御機２、廊下灯３、壁埋込形子機４、ハンド形子機５、表示装置６およびタグリーダ７（特許請求の範囲の読取装置に相当）を備えて構成されている。また、第１の実施形態による関連医療従事者報知システムは、医療従事者の一人ひとりが携行するタグ装置１０（特許請求の範囲の被読取装置に相当）を備えている。
【００１１】
ナースコール親機１は、患者からの呼び出しに対する応答の操作または患者の呼び出しの操作を行うためのものであり、例えばナースステーションに設置される。第１の実施形態において、ナースコール親機１は、病室に入ってきた医療従事者が、その病室内にいる患者の担当または受け持ちであることを患者に知らせるための報知処理も行う。この報知処理の詳細については後述する。
【００１２】
制御機２は、ナースコール親機１と廊下灯３との間に配置され、通話やデータの送受信に関する制御を行う。廊下灯３は、病院の各病室の入口付近外部に設置される。この廊下灯３は、表示装置を備え、病室内の患者名が表示されるとともに、病室内の患者が壁埋込形子機４またはハンド形子機５を用いて医療従事者の呼び出しを行うと、呼び出しが行われたことが表示されるようになっている。
【００１３】
壁埋込形子機４は、病室の各ベッド近傍の壁に埋め込み設置される。壁埋込形子機４は、患者が医療従事者を呼び出すための呼出ボタン、患者が医療従事者と会話を行う際に使用するマイクおよびスピーカ、ハンド形子機５や表示装置６を接続するための接続端子を備えている。この壁埋込形子機４は、廊下灯３に接続されており、ハンド形子機５で発生した呼出信号を廊下灯３に送信したり、ナースコール親機１から送られてきたデータを廊下灯３から受信したりする。
【００１４】
壁埋込形子機４の接続端子には、ハンド形子機５および表示装置６が接続される。ハンド形子機５は、患者が医療従事者を呼び出すための呼出ボタン、患者が医療従事者と会話を行う際に使用するマイクおよびスピーカを備えている。患者が呼出ボタンを操作すると、ハンド形子機５にて呼出信号が発生され、壁埋込形子機４、廊下灯３および制御機２を介してナースコール親機１に送信される。ナースコール親機１では、呼出信号に応じて、呼出音を鳴らしたり、呼び出しを行った患者の情報を画面に表示したりするといった所定の呼出動作を実行する。
【００１５】
表示装置６は、病室の各ベッド近傍に設置され、種々の情報を表示する。第１の実施形態では特に、表示装置６は、ナースコール親機１からの制御に従って、病室に入ってきた医療従事者が患者の担当または受け持ちであることを知らせるための表示を行う。この表示は、例えば、「いま病室に入ってきたのは、あなたの担当です」といったメッセージをＬＣＤ等に画面表示する態様とすることが可能である。あるいは、単に画面上に所定のマークを表示させるものとしてもよい。さらに、画面表示に代えて、ＬＥＤ等を単に表示あるいは点滅させる態様としてもよい。
【００１６】
タグリーダ７は、病院の各病室の入口付近内部に設置されており、病室に入ってきた医療従事者が携行しているタグ装置１０を読み取り、タグ装置１０に記憶されている情報を取得する。タグ装置１０から取得する情報は、医療従事者を特定可能な従事者識別情報（以下、従事者ＩＤという）である。タグリーダ７には、これが設置されている病室を特定可能な部屋識別情報（以下、部屋ＩＤという）が記憶されている。タグリーダ７は、廊下灯３に接続されており、タグ装置１０から取得した従事者ＩＤを、タグリーダ７に記憶されている部屋ＩＤと共に廊下灯３に送信する。この従事者ＩＤおよび部屋ＩＤは、廊下灯３から制御機２を介してナースコール親機１に送信される。
【００１７】
図２は、第１の実施形態によるナースコール親機１の機能構成例を示すブロック図である。なお、通常のナースコールに関する機能については、本発明の主題ではないので、図示を省略している。
【００１８】
図２に示すように、第１の実施形態によるナースコール親機１は、その機能構成として、読取情報受信部１１、患者所在判定部１２、表示指示部１３および指示送信部１４を備えている。また、ナースコール親機１は、記憶媒体として、患者情報記憶部１０１、従事者情報記憶部１０２および関連付け情報記憶部１０３を備えている。
【００１９】
上記各機能ブロック１１〜１４は、ハードウェア、ＤＳＰ（Digital Signal Processor）、ソフトウェアの何れによっても構成することが可能である。例えばソフトウェアによって構成する場合、上記各機能ブロック１１〜１４は、実際にはコンピュータのＣＰＵ、ＲＡＭ、ＲＯＭなどを備えて構成され、ＲＡＭやＲＯＭに記憶されたプログラムが動作することによって実現される。なお、当該プログラムは、ハードディスクや半導体メモリ等の他の記録媒体に記憶されていてもよい。
【００２０】
患者情報記憶部１０１は、患者に関する情報を記憶する。この患者情報は、例えば、患者の氏名、患者を特定可能な患者識別情報（以下、患者ＩＤという）、患者のいる部屋を特定可能な部屋ＩＤ、患者が使用しているベッドを特定可能なベッドＩＤ、患者が使用する機器を特定可能な機器識別情報（ハンド形子機５を特定可能な子機ＩＤ、表示装置６を特定可能な表示装置ＩＤ）などを含む。
【００２１】
従事者情報記憶部１０２は、医療従事者に関する情報を記憶する。この医療従事者情報は、例えば、医療従事者の氏名、医療従事者を特定可能な従事者ＩＤなどを含む。
【００２２】
関連付け情報記憶部１０３は、各患者の患者ＩＤと、各患者の担当または受け持ちとなる医療従事者の従事者ＩＤとを関連付けて記憶する。第１の実施形態において「担当」とは、ある患者の担当に設定された医療従事者がその患者の入院から退院まで一貫してサポートすることを意味する。また、「受け持ち」とは、ある患者の受け持ちに設定された医療従事者が特定の日または時間にのみその患者をサポートすることを意味する。
【００２３】
図３は、関連付け情報記憶部１０３に記憶される関連付け情報の一例を示す図である。図３に示す例では、関連付け情報は、患者ＩＤと従事者ＩＤとを関連付けて記憶するテーブル情報により構成されている。例えば、一人の患者を複数の医療従事者でサポートするチームナーシングを行う場合は、一人の患者の患者ＩＤ（Ｐ００１）と、複数の医療従事者の従事者ＩＤ（Ｓ００１〜Ｓ００３）とが関連付けられて記憶される。また、一人の患者を一人の医療従事者でサポートする場合は、一人の患者の患者ＩＤ（Ｐ００２）と、一人の医療従事者の従事者ＩＤ（Ｓ００４）とが関連付けられて記憶される。
【００２４】
なお、ここでは患者ＩＤを基準として従事者ＩＤを関連付けたテーブル情報の構成を示したが、これとは逆に、従事者ＩＤを基準として患者ＩＤを関連付けたテーブル情報としてもよい。
【００２５】
患者情報記憶部１０１および関連付け情報記憶部１０３の記憶内容は、患者の入退院の状況、個々の医療従事者に対して割り当てられる役割（担当または受け持ちの何れか）に応じて、日次で更新される。
【００２６】
なお、ここでは、患者情報記憶部１０１および従事者情報記憶部１０２とは別に関連付け情報記憶部１０３を設ける構成を示したが、本発明はこれに限定されない。例えば、患者情報記憶部１０１の中に、担当または受け持ちとなる医療従事者の従事者ＩＤを併せて記憶するようにしてもよい。この場合、患者情報記憶部１０１が関連付け情報記憶部に相当する。あるいは、従事者情報記憶部１０２の中に、その医療従事者を担当または受け持ちとする患者の患者ＩＤを併せて記憶するようにしてもよい。この場合、従事者情報記憶部１０２が関連付け情報記憶部に相当する。
【００２７】
読取情報受信部１１は、患者のいる病室に設置されたタグリーダ７において、医療従事者が携行するタグ装置１０に記憶されている従事者ＩＤが読み取られた場合、読み取りが行われたタグリーダ７に付されている部屋ＩＤと共に送られてくる従事者ＩＤを受信する。
【００２８】
患者所在判定部１２は、読取情報受信部１１により受信された従事者ＩＤおよび部屋ＩＤをもとに、患者情報記憶部１０１および関連付け情報記憶部１０３を参照し、タグリーダ７により読み取られた従事者ＩＤで示される医療従事者を担当または受け持ちとする患者が、タグリーダ７により読み取りが行われた病室の中にいるか否かを判定する。この判定は、タグリーダ７により読み取られた従事者ＩＤで示される医療従事者が、タグリーダ７により読み取りが行われた病室の中にいる患者の担当または受け持ちであるか否かを判定するのと同義である。
【００２９】
例えば、患者所在判定部１２は、まず、読取情報受信部１１にて受信した部屋ＩＤをもとに患者情報記憶部１０１を参照し、その部屋ＩＤに対応する病室にいる患者の患者ＩＤを特定する。次に、患者所在判定部１２は、特定した患者ＩＤをもとに関連付け情報記憶部１０３を参照し、その患者ＩＤに関連付けられている従事者ＩＤを特定する。そして、患者所在判定部１２は、このようにして特定した従事者ＩＤの中に、読取情報受信部１１にて受信した従事者ＩＤがあるか否かを判定し、ある場合には、タグリーダ７により読み取られた従事者ＩＤで示される医療従事者が担当または受け持ちとする患者が、タグリーダ７により読み取りが行われた病室の中にいると判定する。
【００３０】
また、患者所在判定部１２は、以上とは別の手順で判定を行うことも可能である。すなわち、患者所在判定部１２は、まず、読取情報受信部１１にて受信した従事者ＩＤをもとに関連付け情報記憶部１０３を参照し、その従事者ＩＤに関連付けられている患者ＩＤを特定する。次に、患者所在判定部１２は、特定した患者ＩＤをもとに患者情報記憶部１０１を参照し、その患者ＩＤと共に記憶されている部屋ＩＤを特定する。そして、患者所在判定部１２は、このようにして特定した部屋ＩＤの中に、読取情報受信部１１にて受信した部屋ＩＤがあるか否かを判定し、ある場合には、タグリーダ７により読み取られた従事者ＩＤで示される医療従事者を担当または受け持ちとする患者が、タグリーダ７により読み取りが行われた病室の中にいると判定する。
【００３１】
表示指示部１３は、医療従事者を担当または受け持ちとする患者が部屋の中にいると患者所在判定部１２により判定された場合、当該判定された患者が使用する表示装置６に対し、病室内に入ってきた医療従事者が、その患者に対して担当または受け持ちとして関連付けられた医療従事者であることを報知するための所定の表示を行うように指示する。すなわち、表示指示部１３は、上述した表示を表示装置６に対して行わせるための指示信号を発生する。
【００３２】
指示送信部１４は、表示指示部１３により発生された指示信号を、制御機２、廊下灯３および壁埋込形子機４を介して表示装置６に送信する。送信すべき表示装置６は、患者情報記憶部１０１に記憶されている表示装置ＩＤにより特定することが可能である。表示装置６は、ナースコール親機１から送信された指示信号を受信すると、病室に入ってきた医療従事者が患者の担当または受け持ちであることを知らせるための表示を行う。この表示の態様については上述した通りである。
【００３３】
なお、表示装置６にメッセージを画面表示する場合、表示指示部１３は、従事者ＩＤをもとに従事者情報記憶部１０２から医療従事者の氏名を取得して、当該医療従事者の氏名を含む表示の指示信号を発生するようにしてもよい。信号送信部２２がこの指示信号を表示装置６に送信することにより、表示装置６において、病室に入ってきた医療従事者が患者の担当または受け持ちであることを、当該医療従事者の氏名と共に知らせるための表示を行うことが可能である。
【００３４】
以上詳しく説明したように、第１の実施形態によれば、患者のいる病室に医療従事者が入ってきたときに、医療従事者が携行するタグ装置１０に記憶されている従事者ＩＤの読み取りがタグリーダ７にて行われると、その医療従事者が担当または受け持ちとなっている患者が使用する表示装置６に所定の表示が行われる。これにより、その表示が行われた表示装置６を使用している患者は、病室に入ってきた医療従事者が自分の担当または受け持ちであることを把握することができる。このように、第１の実施形態によれば、患者は、自分が使用する表示装置６に所定の表示が行われるか否かを確認するだけで、病室に入っていた医療従事者が自分の担当または受け持ちか否かを容易に把握することができる。
【００３５】
（第２の実施形態）
次に、本発明の第２の実施形態を図面に基づいて説明する。第２の実施形態による関連医療従事者報知システムの全体構成は、図１と同様である。図４は、第２の実施形態によるナースコール親機１の機能構成例を示すブロック図である。なお、この図４において、図２に示した符号と同一の符号を付したものは同一の機能を有するものであるので、ここでは重複する説明を省略する。
【００３６】
図４に示すように、第２の実施形態によるナースコール親機１は、役割判定部１５を更に備えている。また、第２の実施形態によるナースコール親機１は、表示指示部１３および関連付け情報記憶部１０３に代えて、表示指示部１３’および関連付け情報記憶部１０３’を備えている。
【００３７】
関連付け情報記憶部１０３’は、各患者の患者ＩＤと、各患者の担当または受け持ちとなる医療従事者の従事者ＩＤと、その医療従事者の役割（担当または受け持ちの何れか）とを関連付けて記憶する。
【００３８】
図５は、関連付け情報記憶部１０３’に記憶される関連付け情報の一例を示す図である。図５に示す例では、関連付け情報は、患者ＩＤと従事者ＩＤと医療従事者の役割とを関連付けて記憶するテーブル情報により構成されている。
【００３９】
上述したように、一人の患者を複数の医療従事者でサポートするチームナーシングを行う場合は、一人の患者の患者ＩＤ（Ｐ００１）と、複数の医療従事者の従事者ＩＤ（Ｓ００１〜Ｓ００３）とが関連付けられて記憶される。この場合、チームナーシングを行う複数の医療従事者は、その患者の「担当」となる。よって、医療従事者の役割には「担当」が記憶される。なお、チームナーシングを行う複数の医療従事者の中で、受け持ちをする日が順番に決められるような場合は、その受け持ち日において、対応する医療従事者の役割として「受け持ち」も併せて記憶される。
【００４０】
また、一人の患者を一人の医療従事者でサポートする場合は、一人の患者の患者ＩＤ（Ｐ００２）と、一人の医療従事者の従事者ＩＤ（Ｓ００４）とが関連付けられて記憶される。この場合も、その一人の医療従事者は、その患者にとって専属の「担当」となり得る。また、特定の日のみサポートを行う「受け持ち」ともなり得る。よって、医療従事者の役割には「担当」または「受け持ち」が記憶される。図５の例では、従事者ＩＤ（Ｓ００４）の医療従事者は、患者ＩＤ（Ｐ００２）の患者の受け持ちであることが記憶されている。
【００４１】
役割判定部１５は、タグリーダ７において従事者ＩＤが読み取られた場合、すなわち、読取情報受信部１１において従事者ＩＤおよび部屋ＩＤが受信された場合、当該従事者ＩＤをもとに関連付け情報記憶部１０３’を参照し、従事者ＩＤで示される医療従事者が、当該従事者ＩＤに関連付けられた患者ＩＤで示される患者の担当または受け持ちの何れの役割であるかを判定する。
【００４２】
表示指示部１３’は、医療従事者を担当または受け持ちとする患者が部屋の中にいると患者所在判定部１２により判定された場合、当該判定された患者が使用する表示装置６に対し、病室内に入ってきた医療従事者が、その患者に対して担当または受け持ちとして関連付けられた医療従事者であることを報知するための所定の表示を行うように指示する。このとき表示指示部１３’は、役割判定部１５により判定された役割に応じて異なる表示を行うように指示する。
【００４３】
例えば、表示指示部１３’は、「いま病室に入ってきたのは、あなたの担当です」または「いま病室に入ってきたのは、あなたの本日の受け持ちです」といったように、担当または受け持ちの何れであるかを明示したメッセージを画面表示するような指示信号を発生する。あるいは、表示指示部１３’は、担当または受け持ちの何れかに応じて、画面表示させる所定のマークの態様を異ならせるような表示の指示信号を発生するようにしてもよい。さらに、表示指示部１３’は、担当または受け持ちの何れかに応じて、ＬＥＤ等の表示態様を異ならせるような表示の指示信号を発生するようにしてもよい。
【００４４】
このように構成した第２の実施形態によれば、患者は、自分が使用する表示装置６に所定の表示が行われるか否かを確認するだけで、病室に入っていた医療従事者が自分の担当または受け持ちか否かを容易に把握することができることに加え、表示の態様の違いにより、担当または受け持ちかの何れであるかについても容易に把握することができる。
【００４５】
なお、上記第１および第２の実施形態では、図２または図５に示した構成をナースコール親機１が備える例について説明したが、本発明はこれに限定されない。例えば、図２または図５に示した構成を制御機２が備えるようにしてもよい。あるいは、図１に示していない専用の処理装置を設け、当該処理装置が図２または図５に示した構成を備えるようにしてもよい。
【００４６】
また、上記第１および第２の実施形態では、病院内で一般的に使用されているナースコールシステムを利用して関連医療従事者報知システムを構成する例について説明したが、ナースコールシステムとは独立した別システムとして構成するようにしてもよい。この場合、図２または図４に示した機能構成を有する情報処理装置、患者が使用する表示装置６、各病室に設置するタグリーダ７は必須であり、情報処理装置と表示装置６との間、情報処理装置とタグリーダ７との間をネットワークにより接続することにより、関連医療従事者報知システムを構成することが可能である。
【００４７】
また、上記第１および第２の実施形態では、ハンド形子機５の他に表示装置６を備える構成について説明したが、本発明はこれに限定されない。例えば、ハンド形子機５にＬＣＤまたはＬＥＤ等の表示部を設け、当該ハンド形子機５の表示部に対して表示を行うようにしてもよい。
【００４８】
また、上記第１および第２の実施形態では、読取装置としてタグリーダ７、被読取装置としてタグ装置１０を用いる例について説明したが、本発明はこれに限定されない。例えば、読取装置として、バーコードや２次元コードなどのコードリーダ、ＮＦＣ（Near field communication）リーダ、Ｗｉ−ＦｉやＢｌｕｅｔｏｏｔｈ（登録商標）などの無線読取装置を用いてもよい。また、被読取装置として、バーコードや２次元コードなどのコードを印刷した記録媒体、コード等の情報を画面表示させたり、従事者ＩＤを無線送信したりする機能を備えたスマートフォンやタブレットなどの携帯端末などを用いてもよい。
【００４９】
その他、上記第１および第２の実施形態は、何れも本発明を実施するにあたっての具体化の一例を示したものに過ぎず、これらによって本発明の技術的範囲が限定的に解釈されてはならないものである。すなわち、本発明はその精神、またはその主要な特徴から逸脱することなく、様々な形で実施することができる。
【符号の説明】
【００５０】
１  ナースコール親機
２  制御機
３  廊下灯
４  壁埋込形子機
５  ハンド形子機
６  表示装置
７  タグリーダ
１０  タグ装置
１１  読取情報受信部
１２  患者所在判定部
１３，１３’  表示指示部
１４  指示送信部
１５  役割判定部
１０１  患者情報記憶部
１０２  従事者情報記憶部
１０３，１０３’  関連付け情報記憶部
【図１】
2018196627.tif 000003
【図２】
2018196627.tif 000004
【図３】
2018196627.tif 000005
【図４】
2018196627.tif 000006
【図５】
2018196627.tif 000007